(57)【要約】【課題】アンビルとスピンドルの当接面に点で当接する測定対象物を挟持しても該測定対象物が滑って脱落してしまうことを防ぐマイクロメータ及びこれに装着されるリング体を提供する。【解決手段】アンビル及びスピンドルで測定対象物を挟持ことで寸法を測定するマイクロメータを用いて、点で挟持する測定対象物の寸法を測定する際、アンビルとスピンドルのそれぞれに、一面側の開口がアンビル及びスピンドルの当接面よりも小さく窄んだ環形状を有するリング体を嵌め込む。【選択図】図３
0003142122.tif 000002
【実用新案登録請求の範囲】
【請求項１】
アンビルの当接面と該アンビルに対して接近又は離反可能なスピンドルの当接面で挟持した測定対象物の寸法を測定するマイクロメータとともに使用され、両端に当接点を有するゲージ体を前記測定対象物として挟持し該ゲージ体の目盛り合わせをする場合に前記アンビル及び前記スピンドルのそれぞれに嵌め込まれるリング体であって、
前記アンビル又は前記スピンドルに挿入される開口とは反対の開口が前記当接面よりも窄んだ環形状を有すること、
を特徴とするリング体。
【請求項２】
一端に測定対象物との当接面を有するアンビルと、
前記測定対象物との当接面を前記アンビルと対向する側に有し、前記アンビルに対して接近又は離反可能なスピンドルと、
前記アンビルの当接面を基準とした前記スピンドルの移動量に基づき、前記アンビルと前記スピンドルで挟持された前記測定対象物の寸法を表示する寸法表示部と、
両端に当接点を有するゲージ体を前記測定対象物として挟持し該ゲージ体の目盛り合わせをする場合に、前記アンビル及び前記スピンドルのそれぞれに嵌め込まれ、前記アンビル又は前記スピンドルに挿入される開口とは反対の開口が前記当接面よりも窄んだ環形状を有するリング体と、
を備えること、
を特徴とするマイクロメータ。
【考案の詳細な説明】
【技術分野】
【０００１】
この考案は、測定対象物の寸法を測定するマイクロメータ、及びアンビルとスピンドルの当接面に点で当接して挟持される測定対象物の寸法を測定する場合に装着されるリング体に関する。
【背景技術】
【０００２】
測定対象物の寸法を測定するためにマイクロメータが用いられる。マイクロメータは、板材の厚さを測定する測定器、丸形状の外径を計測する計測器、または内径測定用比較ゲージの目盛り合わせをする原器として使用される。
【０００３】
マイクロメータは、アンビルとスピンドルとで測定対象物を挟持するようにスピンドルをアンビルに近づけ、アンビルの当接面を基準としたスピンドルの移動量によって寸法を読みとるものである。
【０００４】
即ち、マイクロメータにおける寸法測定の作業では、作業者は、測定対象物の保持、スピンドルの移動、及び表示された寸法の目視を同時並行的に行う必要があり、各作業に同時並行的に気を配らなくてはならない。しかも、アンビルとスピンドルの当接面は研磨されている上、面積が狭いため滑りやすくなっている。
【０００５】
ここで、内径測定用比較ゲージのゲージ体部分は、両先端が先細りしている場合が多い。内径測定用比較ゲージの目盛り合わせをする場合、この両先端が先細りしたゲージ体部分をアンビルとスピンドルとで挟持しなくてはならない。そうすると、内径測定用比較ゲージはマイクロメータに点で支えられる状態となっているため、いっそう滑り落ち易くなっている。従って、内径測定用比較ゲージの目盛り合わせをするときには、内径測定用比較ゲージの保持にいっそう気を使わなくてはならない。
【０００６】
しかし、内径測定用比較ゲージの目盛り合わせをする場合、内径測定用比較ゲージのゲージ体部分をアンビルとスピンドルで挟持させた状態でマイクロメータの表示する寸法と内径測定用比較ゲージが表示する寸法とを比較しなければならない。そのため、どうしても寸法の目視に集中しがちとなり、内径測定用比較ゲージの保持に対しては散漫となりがちである。
【考案の開示】
【考案が解決しようとする課題】
【０００７】
本考案は、上述のような問題点に鑑みてなされたものであり、アンビルとスピンドルの当接面に点で当接する測定対象物を挟持しても該測定対象物が滑って脱落してしまうことを防ぐことで、作業者の負担を軽減するマイクロメータ及びこれに装着されるリング体を提供することにある。
【課題を解決するための手段】
【０００８】
上記課題を解決するために、請求項１に記載の考案は、アンビルの当接面と該アンビルに対して接近又は離反可能なスピンドルの当接面で挟持した測定対象物の寸法を測定するマイクロメータとともに使用され、両端に当接点を有するゲージ体を前記測定対象物として挟持し該ゲージ体の目盛り合わせをする場合に前記アンビル及び前記スピンドルのそれぞれに嵌め込まれるリング体であって、前記アンビル及び前記スピンドルに挿入される開口とは反対の開口が前記当接面よりも窄んだ環形状を有すること、を特徴とする。
【０００９】
上記課題を解決するために、請求項２に記載の考案は、一端に測定対象物との当接面を有するアンビルと、前記測定対象物との当接面を前記アンビルと対向する側に有し、前記アンビルに対して接近又は離反可能なスピンドルと、前記アンビルの当接面を基準とした前記スピンドルの移動量に基づき、前記アンビルと前記スピンドルで挟持された前記測定対象物の寸法を表示する寸法表示部と、両端に当接点を有するゲージ体を前記測定対象物として挟持し該ゲージ体の目盛り合わせをする場合に、前記アンビル及び前記スピンドルのそれぞれに嵌め込まれ、前記アンビル及び前記スピンドルに挿入される開口とは反対の開口が前記当接面よりも窄んだ環形状を有するリング体と、を備えること、を特徴とする。
【考案の効果】
【００１０】
本考案によっては、アンビルとスピンドルの当接面に点で当接するために滑落しやすくなっている測定対象物であっても、リング体でガイドされて測定対象物の滑落が防止される。そのため、測定対象物の状態維持に努める必要が無く、容易に測定対象物の寸法を確認することができる。
【考案を実施するための最良の形態】
【００１１】
以下、この考案のマイクロメータ及びこれに装着されるリング体の一実施形態について図１乃至図５に基づき詳細に説明する。まず、図１を参照しながら、マイクロメータ１０について説明する。
【００１２】
マイクロメータ１０は、主に、本体部１２と、フレーム１４と、アンビル１６と、スピンドル１８と、スリーブ２０と、シンブル２２と、シンブルつまみ２４と、クランプ２６と、寸法表示部２８とから構成されている。
【００１３】
このマイクロメータ１０は、板材の厚さを測定する測定器、丸形状の外径を計測する計測器、または内径測定用比較ゲージの目盛り合わせをする原器として使用される。測定対象物をアンビル１６とスピンドル１８とで挟持し、スピンドル１８の移動量から測定対象物の寸法を読みとることが可能となっている。即ち、アンビル１６は、測定対象物を挟持する固定側の台である。スピンドル１８は、測定対象物を挟持する可動側の軸体である。
【００１４】
このマイクロメータ１０において、フレーム１４は、略Ｃ字形状をしている板部材から形成されており、一端は本体部１２に支持されている。
【００１５】
アンビル１６は、棒部材で形成されている。このアンビル１６は、フレーム１４の本体部１２に支持されている一端とは反対側の他端に形成されている。このアンビル１６は、フレーム１４の内湾側から本体部１２に向けて突出している。アンビル１６の端面は、測定対象物に当接する第１当接面１６ａとなっている。
【００１６】
スピンドル１８は、円柱状の棒部材で形成されている。このスピンドル１８は、アンビル１６と軸線を共通にして本体部１２側から突出しており、アンビル１６と向かい合っている。マイクロメータ１０は、アンビル１６とスピンドル１８とで測定対象物を挟持させた状態で、その寸法を測定するが、この際、スピンドル１８の端面は、測定対象物に当接する第２当接面１８ａとなっている。
【００１７】
スピンドル１８は、突出部分以外が本体部１２及びスリーブ２０の内部に収容されている。この収容されている部分には、ネジ山が形成されおり、スリーブ２０の内壁面に形成されたネジ山と係合している。
【００１８】
スリーブ２０は、円筒形状をした管体であり、本体部１２からスピンドル１８とは逆の側へ突出している。このスリーブ２０は、内部にスピンドル１８の一部を収容している。スリーブ２０の突出側には、シンブル２２が外挿したように配置されている。
【００１９】
シンブル２２は、一方の開口部が封止され、他方の開口部が絞られている円筒形状をした封止管体から形成されている。シンブル２２の絞られた開口部の内径は、スリーブ２０の外径より、若干大きくなっており、シンブル２２は、絞られた開口部をスリーブ２０に外挿している。このシンブル２２は、スリーブ２０と干渉することなく、スピンドル１８に接合されている。
【００２０】
シンブル２２の封止部には、シンブルつまみ２４が連結されている。このシンブルつまみ２４は、シンブル２２及びスピンドル１８を、アンビル１６に近づけたり、アンビル１６から遠ざけたりする際の回転つまみとなっている。
【００２１】
マイクロメータ１０では、スピンドル１８に形成されたネジ山とスリーブ２０に形成されたネジ山とシンブル２２とシンブルつまみ２４とによって、スピンドル１８を軸方向に可動させて、アンビル１６の第１当接面１６ａに接近又は離反させる。
【００２２】
すなわち、シンブルつまみ２４を一方向に回転させると、シンブル２２も同じ方向に回転しながら、その開口部からスリーブ２０を飲み込むようにアンビル１６に近づく。すると、スピンドル１８も、シンブルつまみ２４およびシンブル２２と同じ方向に回転しながら、アンビル１６に近づいて行く。
【００２３】
シンブルつまみ２４を逆方向に回転させると、シンブル２２も同じ方向に回転しながら、その開口部からスリーブ２０を吐き出すようにアンビル１６から遠ざかる。そして、スピンドル１８も、シンブルつまみ２４およびシンブル２２と同じ方向に回転しながら、アンビル１６から遠ざかって行く。
【００２４】
尚、シンブルつまみ２４の内部には、図示されないラチェット機構が形成されており、アンビル１６とスピンドル１８とで測定対象物を挟持した状態で、シンブルつまみ２４を、さらにスピンドル１８が測定対象物に押圧する方向に回転させると、スピンドル１８およびシンブル２２に対して空転する。
【００２５】
クランプ２６は、円板形状をしたネジ材から構成されたつまみ部３４を有し、本体部１２の正面に配置されている。クランプ２６のつまみ部３４を回動させて本体部１２にねじ込むと、スピンドル１８、シンブル２２およびシンブルつまみ２４の動きをロックすることができる。
【００２６】
本体部１２は、測定対象物の寸法を測定する図示されない測定機構を収納している。測定機構としては、例えば、図示されないエンコーダであり、スピンドル１８の移動量を検出している。スピンドル１８の移動量は、アンビル１６の第１当接面１６ａを基準にする。
【００２７】
寸法表示部２８は、液晶表示板や電光表示板やスリーブ２０の表面に刻設された目盛り等で構成されており、アンビル１６とスピンドル１８とで挟持された測定対象物の寸法を表示する。この寸法は、測定機構で検出したスピンドル１８の移動量に比例する。デジタル表示する際には、一度アンビル１６とスピンドル１８とを当接させて移動量をリセットする。
【００２８】
マイクロメータ１０では、内径測定用比較ゲージの目盛り合わせのための原器として使用する際、内径測定用比較ゲージがアンビル１６やスピンドル１８から滑り落ちてしまうことを防ぐために、アンビル１６とスピンドル１８に落ち止めのためのガイドとなるリング体３０を装着する。
【００２９】
図２は、リング体３０を示す図であり、図２（ａ）は側面断面図、図２（ｂ）は正面図、図２（ｃ）は側面図である。
【００３０】
図２に示すように、リング体３０は、所定の厚みを持った環形状を有している。このリング体３０は、アンビル１６とスピンドル１８とにそれぞれ装着される。リング体３０は、一面側の開口が挿入口３１となり、その逆面の開口がガイド穴３３となっている。リング体３０は、挿入口３１からアンビル１６やスピンドル１８に外挿される。
【００３１】
挿入口３１の開口径は、アンビル１６の第１当接面１６ａやスピンドル１８の第２当接面１８ａの外径と同一又は装着しやすい程度に若干大きい。
【００３２】
ガイド穴３３には、リング体３０を形成する壁が内側に折れ曲がって形成された囲み３２が突出している。囲み３２は、リング体３０の軸線方向に所定の厚みを有している。ガイド穴３３の開口径は、囲み３２がガイド穴３３の中心に向けて突出している分、アンビル１６の第１当接面１６ａやスピンドル１８の第２当接面１８ａよりも窄んでいる。
【００３３】
例えば、アンビル１６の第１当接面１６ａやスピンドル１８の第２当接面１８ａの外径が６．３ｍｍであれば、挿入口３１も６．３ｍｍか若干大きい程度である。一方、囲み３２がガイド穴３３の中心へ０．６５ｍｍ折れ曲がり、ガイド穴３３の内径は５ｍｍとなっている。また、例えば、囲み３２の厚みは、０．５ｍｍ程度である。
【００３４】
図３乃至図５は、このリング体３０を装着したマイクロメータ１０の使用態様を説明する図である。図３は、アンビル１６及びスピンドル１８の軸線方向に沿った断面図である。図４は、マイクロメータ１０の使用態様を示す全体図である。図５は、一方のリング体３０部分の拡大斜視図である。
【００３５】
内径測定用比較ゲージ４０は、測定対象物の内径を計測するため、ゲージ４１の先端４２が先細りしている。そのため、この内径測定用比較ゲージ４０のゲージ４１をアンビル１６とスピンドル１８とで挟持すると、第１当接面１６ａや第２当接面１８ａとゲージ４１の先端４２とが点で当接する。このような挟持する箇所が先細りし、点で当接する測定対象物の寸法を測定する際には、アンビル１６とスピンドル１８にリング体３０を装着する。
【００３６】
具体的には、アンビル１６の第１当接面１６ａを包み込むようにリング体３０を挿入口３１から外挿する。また、スピンドルの第２当接面１８ａを包み込むようにリング体３０を挿入口３１から外挿する。
【００３７】
リング体３０は、ガイド穴３３がアンビル１６やスピンドル１８の径より窄んでいるため、挿入口３１からリング体３０を外挿すると、アンビル１６の第１当接面１６ａの周縁やスピンドル１８の第２当接面１８ａの周縁が囲み３２に当接する。そうすると、第１当接面１６ａと第２当接面１８ａの表面はガイド穴３３から露出したままであるが、その周縁には所定の厚みを有する囲み３２が立設することとなる。
【００３８】
この状態で測定対象物を挟持する場合、ゲージ４１の両先端４２をアンビル１６の第１当接面１６ａとスピンドル１８の第２当接面１８ａにそれぞれ当接させたときには、ゲージ４１の先端４２が囲み３２で囲まれたガイド穴３３内に入り込む。そうすると、測定対象物の先端４２が第１当接面１６ａや第２当接面１８ａから滑り落ちようとしても、リング体３０の囲み３２にガイドされてガイド穴３３の拡がる範囲内に留まる。即ち、測定対象物は滑り落ちることなく、挟持された状態が維持される。
【００３９】
以上のように、点で当接することで滑落しやすい測定対象物の寸法を測る場合に、アンビル１６やスピンドル１８が挿入される開口とは反対の開口が第１当接面１６ａや第２当接面１８ａの径よりも窄んだ形状を有するリング体３０を装着することで、測定対象物の滑落が防止されるため、測定対象物の状態維持に努める必要が無く、容易に測定対象物の寸法を確認することができる。
【００４０】
尚、スピンドル１８の可動範囲を広くとるためには、リング体３０の厚みを極力薄く設計することが好ましい。また、第１当接面１６ａや第２当接面１８ａを極力広く使用することができるように、囲み３２の突出長は、第１当接面１６ａや第２当接面１８ａを囲える範囲内で極力小さくすることが好ましい。また、リング体３０のガイド穴３３側の面の外周を面取りすることで、内径測定用比較ゲージの装着が容易化する。
【００４１】
また、リング体３０には、ガイド穴３３側の面と挿入口３１側の面とを識別する着色やマークを施してもよい。リング体３０を装着するときにどちらが挿入口３１か迷うことが無く作業性に優れる。
【図面の簡単な説明】
【００４２】
【図１】マイクロメータの外観図である。
【図２】リング体を示す図である。
【図３】マイクロメータの使用態様におけるアンビル及びスピンドルの軸線方向に沿った断面図である。
【図４】マイクロメータの使用態様を示す全体図である。
【図５】マイクロメータの使用態様における一方のリング体部分の拡大斜視図である。
【符号の説明】
【００４３】
１０    マイクロメータ
１２    本体部
１４    フレーム
１６    アンビル
１６ａ  第１当接面
１８    スピンドル
１８ａ  第２当接面
２０  スリーブ
２２  シンブル
２４  シンブルつまみ
２６  クランプ
２８  寸法表示部
３０  リング体
３１  挿入口
３２  囲み
３３  ガイド穴
【図１】
0003142122.tif 000003
【図２】
0003142122.tif 000004
【図３】
0003142122.tif 000005
【図４】
0003142122.tif 000006
【図５】
0003142122.tif 000007